(57)【特許請求の範囲】
【請求項１】
保護面の面体を支持する保護面用支持具であって、
棒状に形成された支持具本体と、
この支持具本体を前記面体に固定するホルダ部材と、を備え、
前記支持具本体には照明部が設けられ、
前記照明部は、前記支持具本体の一端側に設けられ、
前記支持具本体と前記ホルダ部材の間には、前記支持具本体を着脱自在に固定する固定手段が設けられ、
前記ホルダ部材は、前記支持具本体の照明部が挿入される挿入口と、
前記照明部から照射される光の光軸方向と交差する方向に反射する反射板と、
前記反射板によって反射された光を出射する出射窓と、を有していることを特徴とする、照明付保護面用支持具。
【請求項２】
前記ホルダ部材は、前記出射窓を覆うカバー部材をさらに有していることを特徴とする、請求項１に記載の照明付保護面用支持具。
【請求項３】
前記保護面は、溶接面であり、
前記支持具本体は、懐中電灯であることを特徴とする、請求項１又は請求項２の何れかに記載の、照明付保護面用支持具。
【請求項４】
請求項１〜３の何れかに記載の照明付保護面用支持具のホルダ部材。
【発明の詳細な説明】
【技術分野】
【０００１】
本発明は、保護面の面体を支持する保護面用支持具であって、特に、照明部を有する照明付保護面用支持具に関する。
【背景技術】
【０００２】
溶接や熱切断を行う際には、目に有害な紫外放射及び赤外放射並びに強烈な可視光や、外傷の危険を伴う溶接スパッタ（スラグや金属粒）が発生する。そのため、溶接や熱切断を行う作業者は、目を保護し、外傷の危険から顔部及び頭頸部の前面を保護するための溶接用保護面（以下、溶接面ともいう。）を着用して作業を行っている。
【０００３】
この溶接面においては、顔部及び頭頸部の前面を覆う面体に棒状の支持部が取り付けられたハンドシールドと呼ばれる溶接面がある。このハンドシールドは、棒状の支持部を片手で把持、又は、取り付け金具やゴム紐などでヘルメットや頭部に装着することで、面体を使用者の顔面の正面位置に配置させるものであり、使い勝手が良いことから広く普及している。しかしながら、溶接箇所を確認する際には、溶接面を外して確認するか、片手で懐中電灯等の照明器具を扱う必要があり、使用者の負担となっていた。
【０００４】
このような問題に対し、照明が設けられた溶接面が提案されている。
例えば、特許文献１には、「溶接用保護具の中央部に溶接用照明を取付けた溶接用保護具」の技術が記載されている。この特許文献１によれば、保護具に光束の多い高輝度の照明ランプを取付けたことにより、１秒間に数回照明を照射すれば保護具を顔面に装着したまま、覗き窓より溶接するポイントを見ることができるとされている。
【先行技術文献】
【特許文献】
【０００５】
【特許文献１】実開昭６１−１０９５１９号公報
【発明の概要】
【発明が解決しようとする課題】
【０００６】
ところで、溶接作業においては、溶接個所に欠陥等が生じていないか溶接の仕上がりを確認することが大変重要である。溶接の欠陥には、溶け込み不良、スラグ巻き込み、オーバーラップカット、ブローやスパッタ等がある。それらの欠陥を検査するために非破壊検査である、超音波深傷検査（Ultrasonic Testing）、放射線透過検査（Radiographic Testing）、浸透探傷試験（Penetrant Testing）、磁粉探傷試験（Magnetic Particle Testing）等が用いられる。
【０００７】
このように欠陥を検査する場合には、溶接箇所や溶接ビードの形状を詳細に確認する必要がある。しかしながら、暗がりでの溶接作業を行う際や、溶接箇所及び溶接ビードを確認する際には、懐中電灯等の照明器具を片手で把持する必要があり、使用者の負担となっていた。
【０００８】
このような問題に対して、特許文献１の溶接用保護具を用いた場合には、確かに、保護具を顔面に装着したまま溶接ポイントを見ることができるものの、溶接箇所や溶接ビードの形状の詳細な確認に適したものではなかった。すなわち、特許文献１の溶接用保護具は、光束の多い高輝度の照明ランプによって、瞬間的に溶接ポイントを照らすものであり、溶接箇所や溶接ビードの形状を詳細に確認できるものではなかった。
加えて、特許文献１の溶接用保護具は、つぎのような問題を有している。
【０００９】
第１に、製造が容易でないという問題である。特許文献１に記載の溶接用保護具は、面体に照明ランプやプリント基板を取り付ける必要があるため、面体の加工や配線を行う必要があった。そのため、特許文献１に記載の溶接用保護具は、容易に製造することができるものではなかった。
【００１０】
第２に、使用可能な場所が限られてしまうという問題である。特許文献１に記載の溶接用保護具は、電源コードを介して照明用ランプに電力を供給するものであるため、電源コードが届く範囲でしか使用することができなかった。
【００１１】
第３に、作業者の緊急時に点灯することができないという問題である。特許文献１に記載の溶接用保護具は、電源コードを介した電力供給が無ければ照明が点灯しないため、停電時や避難時に使用することができなかった。例えば、電源の限られた暗い環境で作業を行う船体内の溶接作業時には、緊急時のために、懐中電灯等の外部からの電力供給が必要ない照明器具を別途用意しておく必要があった。
【００１２】
本発明は、かかる実情に鑑み、面体を加工することなく面体に照明機構を取付けることができる照明付保護面用支持具を提供することを課題とする。
また、本発明は、面体から取り外して照明器具として使用することができる照明付保護面用支持具を提供することを課題とする。
【課題を解決するための手段】
【００１３】
上記課題を解決するため、本発明に係る照明付保護面用支持具は、保護面の面体を支持する保護面用支持具であって、棒状に形成された支持具本体と、この支持具本体を前記面体に固定するホルダ部材と、を備え、前記支持具本体又は前記ホルダ部材の少なくとも一方には照明部が設けられていることを特徴とする。
【００１４】
このように、支持具本体又はホルダ部材の少なくとも一方に照明部を備えることにより、この支持具本体を市販の面体に取り付けるだけで、容易に照明部を備える保護面とすることができる。また、支持具本体又はホルダ部材の少なくとも一方に照明部を備えることにより、面体を顔面に装着したまま、溶接個所や溶接ビードの形状を詳細に確認することができる。
【００１５】
本発明の好ましい実施形態では、前記照明部は、前記支持具本体の一端側に設けられ、前記支持具本体と前記ホルダ部材の間には、前記支持具本体を着脱自在に固定する固定手段が設けられていることを特徴とする。
このように、支持具本体の一端に照明部を設け、支持具本体とホルダ部材を着脱自在に構成することにより、支持具本体を取り外して照明器具として使用することができる。また、この支持具本体は、停電時や避難時等の緊急時に照明器具として使用することができ、懐中電灯等の照明器具を別途用意する必要が無い。
【００１６】
本発明の好ましい実施形態では、前記ホルダ部材は、前記支持具本体の照明部が挿入される挿入口と、前記照明部から照射される光の光軸方向と交差する方向に反射する反射板と、前記反射板によって反射された光を出射する出射窓と、を有していることを特徴とする。
このようにホルダ部材は、照明部から照射される光を反射する反射板を有することにより、面体を支持しつつ面体の正面に光を照射することができる。
【００１７】
本発明の好ましい実施形態では、前記ホルダ部材は、前記出射窓を覆うカバー部材をさらに有していることを特徴とする。
このように、カバー部材を設けることにより、ホルダ部材の出射窓に溶接スパッタや粉塵が付着することを防ぐことができる。
【００１８】
本発明の好ましい実施形態では、前記保護面は、溶接面であり、前記支持具本体は、懐中電灯であることを特徴とする。
このように、懐中電灯を支持具本体とすることにより、支持具本体が破損した場合等には、市販の懐中電灯を購入して利用することができる。
【発明の効果】
【００１９】
本発明は、面体を加工することなく面体に照明機構を取付けることができる照明付保護面用支持具を提供することができる。
また、本発明は、面体から取り外して照明器具として使用することができる照明付保護面用支持具を提供することができる。
【図面の簡単な説明】
【００２０】
【図１】本発明の一実施形態に係る照明付保護面用支持具を保護面に固定した様子を示す斜視図である。
【図２】本発明の一実施形態に係る照明付保護面用支持具の側面図である。
【図３】本発明の一実施形態に係る照明付保護面用支持具の図２のＸ−Ｘ線縦断面図である。
【図４】本発明の一実施形態に係る照明付保護面用支持具のホルダ部材を分解した様子を示す断面図である。
【図５】本発明の一実施形態に係る照明付保護面用支持具のホルダ部材を分解した様子を示す斜視図である。
【図６】本発明の一実施形態に係る照明付保護面用支持具を面体に固定する様子を示す斜視図である。
【図７】本発明の一実施形態に係る照明付保護面用支持具の支持具本体をホルダ部材から脱離させる様子を示す断面図である。
【発明を実施するための形態】
【００２１】
以下、本発明を図面に示した好ましい一実施形態について詳細に説明する。本発明の技術的範囲は、添付図面に示した実施形態に限定されるものではなく、特許請求の範囲に記載された範囲内において、適宜変更が可能である。
【００２２】
本発明の一実施形態に係る照明付保護面用支持具は、図１及び図２に示すように、保護面の面体Ｆを支持するための保護面用支持具であって、棒状に形成された支持具本体１と、その支持具本体１を面体Ｆに着脱可能に固定するホルダ部材２と、を備えている。
【００２３】
支持具本体１は、使用者の手で把持する把持部１１と、光を照射する照明部１２と、備えている。この支持具本体１は、絶縁性を有する強度の高い材料又は絶縁コーティングがなされた強度の高い材料によって形成されている。
【００２４】
把持部１１は、保護面の使用者が把持しやすい形状に形成されており、例えば、把持部１１の軸方向と直交する断面が円形に形成されている。また、図示はしていないが、この把持部１１は、照明部１２に電力を供給する電池等の電源部と、前記電源部からの電力の供給を制御するスイッチ機構と、を有している。
【００２５】
照明部１２は、支持具本体１と同様の材料で形成されており、光を照射するレンズ部１２ａと、ホルダ部材２に固定するための係合凹部１２ｂと、を有している。この照明部１２は、把持部１１の一端側に設けられており、把持部１１と同様に軸方向と直交する断面が円形に形成されている。
【００２６】
レンズ部１２ａは、照明部１２の端面に設けられ、支持具本体１の一端側の軸方向に向けて光を照射できるよう構成されている。
係合凹部１２ｂは、照明部１２の周方向に沿って形成され、ホルダ部材２の挿入口２１ｂ内に突出される係合凸部（固定用ボール２７）と係合して固定されるよう構成されている。
【００２７】
この支持具本体１は、上述したように、照明部１２に電力を供給する電源部及びスイッチ機構が設けられているため、外部からの電力供給が必要ない構成となっている。また、この支持具本体１には、係合凹部１２ｂが形成された市販の懐中電灯を採用しても良い。なお、この支持具本体１の形状として断面が円形のものを例示したが、楕円状や多角形状を採用することも当然に可能である。
【００２８】
図３は、図２のＸ−Ｘ線における断面を示した図である。
ホルダ部材２は、図３に示すように、出射窓２１ａを有するケース本体２１と、出射窓２１ａを覆うカバー部材２２と、ケース本体２１を面体Ｆに固定する固定用アングル２３と、ケース本体２１内に設けられる反射部材２４と、支持具本体１を着脱自在に固定する固定手段Ｍと、を備えている。
このホルダ部材２は、支持具本体１と面体Ｆを着脱自在に固定する構成となっている。さらに、このホルダ部材２は、支持具本体１の照明部１２から照射される光を、反射部材２４により反射させて出射窓２１ａから出射する構成となっている。
【００２９】
図４及び図５は、ホルダ部材２を分解した様子を示す図である。
ケース本体２１は、天面と側面を有する筒状に形成され、光を出射する出射窓２１ａと、支持具本体１の一端側が挿入される挿入口２１ｂと、ボルト１Ｂが挿通される貫通孔２１ｃと、カバー部材２２を取付けるためのネジ穴２１ｄと、係合凸部（固定用ボール２７）が設けられる複数のボール穴２１ｅと、挿入口２１ｂの周囲に設けられる溝部２１ｆと、ボール穴２１ｅの上部にケース本体２１の周方向に沿って設けられる段部２１ｇと、を有している。
【００３０】
カバー部材２２は、出射窓２１ａを覆う正面部と、この正面部の両側に相対して設けられる２つの側面部と、を有している。このカバー部材２２の正面部にはカバー窓２２ａが設けられ、カバー部材２２の側面部にはボルト３Ｂが挿通される貫通孔２２ｂがそれぞれ設けられている。このカバー部材２２は、貫通孔２２ｂに挿通されるボルト３Ｂが、ネジ穴２１ｄと螺合されることにより、ケース本体２１に取り付けられる。
【００３１】
出射窓２１ａ及びカバー窓２２ａは、ガラスやプラスチック等の光透過性を有する材料で形成されており、面体Ｆの窓部Ｆ１と同一の方向に指向されている。また、カバー部材２２又はカバー窓２２ａは取り外し可能に構成されており、溶接スパッタ等によって損傷した際に交換することができる。
【００３２】
固定用アングル２３は、ケース本体２１と密接に固定される面と、面体Ｆと密接に固定される面と、を有し、これら２つの面によってＬ字型に形成されている。
図６は、固定用アングル２３を用いて、ケース本体２１と面体Ｆとを固定する様子を示す斜視図である。ケース本体２１と密接に固定される面には、貫通孔２３ａが設けられており、ボルトＢ１によってケース本体２１と圧接されて固定される。一方、面体Ｆと密接に固定される面には、貫通孔２３ｂが２つ設けられており、ボルト２Ｂによって面体Ｆと圧接されて固定される。
【００３３】
反射部材２４は、図３に示すように、反射板２４ａと、この反射板２４ａを取付けるための台座２４ｂと、この台座２４ｂに設けられるネジ穴２４ｃと、を有している。この反射部材２４は、挿入口２１ｂに挿入された支持具本体１の照明部１２から照射される光の光軸方向と交差する方向に反射させて、出射窓２１ａから光を照射することができる。
ネジ穴２４ｃは、図３や図７に示すように、固定用アングル２３の貫通孔２３ａと、ケース本体２１の貫通孔２１ｃと、に挿通されたボルトＢ１が螺着される。
【００３４】
固定手段Ｍは、ケース本体２１の外周に設けられる筒状キャップ２５と、この筒状キャップ２５の内側に設けられるバネ体２６と、ケース本体２１のボール穴２１ｅに設けられる固定用ボール２７と、ケース本体２１の溝部２１ｆに取り付けられる固定用リング２８と、を有している。
【００３５】
筒状キャップ２５は、周方向に沿って内側に突出した凸部２５ａを有している。この凸部２５ａの内周の径は、挿入口２１ｂ近傍の外径に対応した大きさに設定されている。
バネ体２６は、螺旋状に形成されており、筒状キャップ２５と同様にケース本体２１の外周に設けられている。このバネ体２６の一端はケース本体２１の段部２１ｇに支持され、他端は筒状キャップ２５の凸部２５ａに支持されている。
固定用リング２８は、筒状キャップ２５が脱落しないよう設けられており、凸部２５ａの内周よりも大きい径に形成されている。
【００３６】
図７は、ホルダ部材２の固定手段Ｍによって固定されていた支持具本体１が、脱離する様子を示す断面図である。
支持具本体１の固定時には、図３に示すように、固定用ボール２７（係合凸部）が凸部２５ａにより押圧されている。そのため、固定用ボール２７（係合凸部）が、ボール穴２１ｅからケース本体２１の半径方向の内方へ突出している。この突出した固定用ボール２７（係合凸部）が支持具本体１の係合凹部１２ｂと係合することにより、支持具本体１がホルダ部材２に固定されている。
【００３７】
この支持具本体１を脱離させる際には、筒状キャップ２５を上方向に摺動させることで、固定用ボール２７を押圧していた凸部２５ａの位置を移動させる。これにより、固定用ボール２７（係合凸部）がケース本体２１の半径方向の外方へ埋没することにより、係合凹部１２ｂとの係合が解除される。
また、この固定手段Ｍは、慣用の固定手段であれば当然に採用することができる。例えば、ケース本体２１と照明部１２とに螺子溝を設けて螺合する構造等を採用しても良い。
【００３８】
面体Ｆは、顔部及び頭頸部の前面を覆う大きさに形成されており、この面体Ｆの中央部に設けられる窓部Ｆ１と、固定用アングル２３が取り付けられる貫通孔Ｆ２と、を備えている。
【００３９】
窓部Ｆ１は、有害光線を遮へいするフィルタプレートＰを有し、面体Ｆの上方へ回動可能（開閉可能）に構成されている。溶接時には、窓部Ｆ１を閉じることで、フィルタプレートＰが使用者の目の前に配置され、有害な光線から使用者の目を保護する。一方、溶接個所及び溶接ビードを確認する際には、窓部Ｆ１及びフィルタプレートを面体Ｆの上方に回動させて開けることにより、溶接個所及び溶接ビードを直接目視で確認することができる。
【００４０】
なお、図１、図２及び図６においては、本発明に係る面体用支持具を取り付ける面体Ｆとして、溶接時に使用する溶接面を示したが、光線や粉塵から顔面を守る防災面等に取付けても良い。
【００４１】
本発明によれば、保護面の支持具に照明機構（照明部１２）を設けたことにより、従来から市販されている保護面の面体Ｆに、照明機構を容易に取付けることができる。すなわち、保護面の支持具を本発明に係る面体用支持具に取り換えるだけで、照明付保護面を構成することができる。
【００４２】
また、本発明によれば、ホルダ部材２は、反射板２４ａを備えることにより、支持具本体１をホルダ部材２の挿入口２１ｂに挿入した状態で、面体Ｆの正面方向に光を出射することができるよう構成されている。そのため、片手で面体Ｆを支持しつつ溶接個所や溶接ビードを照らし、もう一方の手で必要な試験や検査等の作業を行うことができる。
【００４３】
また、本発明によれば、照明部１２が支持具本体１の一端側に設け、支持具本体１とホルダ部材２の間には、支持具本体１を着脱自在に固定する固定手段Ｍが設けられている。
このような構成としたことにより、支持具本体１を照明器具として使用したい場合には、ホルダ部材２から取り外して使用することができる。すなわち、本発明に係る支持具本体１は、面体Ｆを支持する支持具として使用することができ、さらに照明器具として懐中電灯のように使用することができる。
【００４４】
また、本発明によれば、ホルダ部材２は、出射窓２１ａを覆うカバー部材２２を有していることにより、溶接スパッタや粉塵等で出射窓２１ａが汚れてしまうことを防ぐことができる。このカバー部材２２は、ボルトＢ３によってケース本体２１に固定されており、容易に取り換えることができる。そのため、出射窓２１ａ及びカバー窓２２ａを綺麗に保つことができる。
【００４５】
また、本発明によれば、係合凹部１２ｂが形成された市販の懐中電灯を、支持具本体１として利用することができる。そのため、停電時や避難時等の緊急時用の懐中電灯を別途持ち歩く必要が無い。特に、支持具本体１が破損した場合等には、市販の懐中電灯を購入して利用することができる。
【符号の説明】
【００４６】
１          支持具本体
１１        把持部
１２        照明部
１２ａ      レンズ部
１２ｂ      係合凹部
２          ホルダ部材
２１        ケース本体
２１ａ      出射窓
２１ｂ      挿入口
２１ｃ      貫通孔
２１ｄ      ネジ穴
２１ｅ      ボール穴
２１ｆ      溝部
２１ｇ      段部
２２        カバー部材
２２ａ      カバー窓
２２ｂ      貫通孔
２３        固定用アングル
２３ａ      貫通孔
２３ｂ      貫通孔
２４        反射部材
２４ａ      反射板
２４ｂ      台座
２４ｃ      ネジ穴
２５        筒状キャップ
２５ａ      凸部
２６        バネ体
２７        固定用ボール
２８        固定用リング
Ｂ１〜３    ボルト
Ｎ          ナット
Ｗ１、Ｗ２  ワッシャー
Ｆ          面体
Ｆ１        窓部
Ｆ２        貫通孔
Ｍ          固定手段
【図１】
0006719767.tif 000002
【図２】
0006719767.tif 000003
【図３】
0006719767.tif 000004
【図４】
0006719767.tif 000005
【図５】
0006719767.tif 000006
【図６】
0006719767.tif 000007
【図７】
0006719767.tif 000008